(57)【要約】【課題】  同種の情報の表現形式を統一管理できる医用情報処理装置を提供する。【解決手段】  ＰＡＣＳサーバ１０は、情報入力部１１からの医用情報に含まれる所定情報と同種の所定情報を含む医用情報が医用情報記憶部１２に記憶されているか判断する記憶状況判断部１３と、同種の所定情報が記憶されていると判断された場合に、入力された所定情報及び同種の所定情報の優先順位を比較し、いずれが上位か判定する優先順位判定部１４と、入力された所定情報の優先順位の方が上位と判定された場合に、入力された医用情報を医用情報記憶部１２に記憶させるとともに、記憶されている医用情報の同種の所定情報を入力された所定情報に変更し、同種の所定情報の優先順位の方が上位と判定された場合に、入力された所定情報を同種の所定情報に変更して当該入力された医用情報を記憶させる制御部１５とを備える。【選択図】      図２
2007058628.tif 000002
【特許請求の範囲】
【請求項１】
所定情報を含む医用情報を入力する入力手段と、
前記医用情報を記憶する記憶手段と、
前記入力された医用情報に含まれる所定情報と同種の所定情報を含む医用情報が前記記憶手段に記憶されているか判断する判断手段と、
前記同種の所定情報が記憶されていると判断された場合に、当該入力された所定情報及び当該同種の所定情報のそれぞれに対してあらかじめ付与された優先順位を比較し、いずれの優先順位が上位であるか判定する判定手段と、
前記判断手段により前記同種の所定情報が記憶されていないと判断された場合に、当該入力された医用情報を前記記憶手段に記憶させ、
前記判定手段により前記入力された所定情報の優先順位の方が上位と判定された場合に、当該入力された医用情報を前記記憶手段に記憶させるとともに、前記記憶されている医用情報の前記同種の所定情報を該入力された所定情報に変更し、
前記同種の所定情報の優先順位の方が上位と判定された場合に、当該入力された所定情報を前記同種の所定情報に変更して当該入力された医用情報を前記記憶手段に記憶させる制御手段と、
を備えることを特徴とする医用情報処理装置。
【請求項２】
前記医用情報は患者識別情報を含み、
前記判断手段は、
前記入力された医用情報に含まれる患者識別情報と同じ患者識別情報を含む医用情報を前記記憶手段から検索する検索手段を備え、
前記検索された医用情報に前記同種の所定情報が含まれているか判断する、
ことを特徴とする請求項１に記載の医用情報処理装置。
【請求項３】
前記入力された所定情報及び前記同種の所定情報は、患者情報又は診療情報における同一の情報項目を互いに異なる表現形式で表す情報であることを特徴とする請求項１又は請求項２に記載の医用情報処理装置。
【請求項４】
所定情報を含む医用情報を入力する入力手段と、
前記入力された医用情報を記憶する記憶手段と、
前記記憶手段に記憶されている複数の医用情報のそれぞれに含まれる所定情報に対してあらかじめ付与された優先順位を比較し、いずれの優先順位が最も上位であるか判定する判定手段と、
医用情報を出力する出力手段と、
前記記憶された医用情報を前記出力手段により出力させるときに、当該医用情報に含まれる所定情報を、前記判定手段により優先順位が最も上位と判定された所定情報に変更して出力させる制御手段と、
を備えることを特徴とする医用情報処理装置。
【請求項５】
前記出力手段は、医用情報を表示する表示手段を含むことを特徴とする請求項４に記載の医用情報処理装置。
【請求項６】
前記複数の医用情報のそれぞれに含まれる所定情報は、患者情報又は診療情報における同一の情報項目を異なる表現形式で表す情報であることを特徴とする請求項４又は請求項５に記載の医用情報処理装置。
【請求項７】
前記所定情報の優先順位は、医用情報の複数の情報源のそれぞれに対応してあらかじめ付与されたものであり、
前記判定手段は、
前記複数の情報源のそれぞれに対応して付与された前記所定情報の優先順位を記録した優先順位情報をあらかじめ格納する格納手段を備え、
前記優先順位情報を参照して前記所定情報の優先順位の前記比較を行う、
ことを特徴とする請求項１ないし請求項６のいずれか一項に記載の医用情報処理装置。
【請求項８】
前記優先順位は、前記記憶手段に記憶された医用情報の閲覧者によってあらかじめ付与されたものであり、
前記判定手段は、
前記閲覧者により付与された前記所定情報の優先順位を記録した優先順位情報をあらかじめ格納する格納手段を備え、
前記優先順位情報を参照して前記所定情報の優先順位の前記比較を行う、
ことを特徴とする請求項１ないし請求項６のいずれか一項に記載の医用情報処理装置。
【請求項９】
前記同一の情報項目は、患者情報における患者氏名、患者性別もしくは患者生年月日、又は、診療情報における診療日時もしくは診療内容であることを特徴とする請求項３又は請求項６に記載の医用情報処理装置。
【請求項１０】
前記表現形式は、前記同一の情報項目を表記する言語であることを特徴とする請求項３又は請求項６に記載の医用情報処理装置。
【請求項１１】
医用画像を撮影し、この撮影された医用画像に前記所定情報を添付して医用情報を作成し、この作成された医用情報をネットワークを通じて送信する１以上の医用画像診断装置にそれぞれ接続されており、
前記入力手段は、前記１以上の医用画像診断装置のいずれかにより前記ネットワークを通じて送信された医用情報を受信する、
ことを特徴とする請求項１ないし請求項１０のいずれか一項に記載の医用情報処理装置。
【請求項１２】
医用画像を撮影し、この撮影された医用画像をネットワークを通じて送信する１以上の医用画像診断装置のそれぞれに接続されており、
前記入力手段は、
前記１以上の医用画像診断装置のいずれかにより前記ネットワークを通じて送信された医用画像を受信する画像受信手段と、
前記撮影された医用画像に関連する所定情報を入力するための情報入力手段と、
を備える、
ことを特徴とする請求項１ないし請求項１０のいずれか一項に記載の医用画像診断装置。
【請求項１３】
前記所定情報を含む病院情報を管理する病院情報システム、及び／又は、前記所定情報を含む放射線科情報を管理する放射線科情報システムに、前記ネットワークを介して接続されており、
前記入力手段は、前記病院情報システム又は前記放射線科情報システムにより前記ネットワークを通じて出力された前記所定情報を入力する、
ことを特徴とする請求項１１又は請求項１２に記載の医用情報処理装置。
【請求項１４】
前記病院情報システム又は前記放射線科情報システムにより出力される前記所定情報には、最も上位の優先順位があらかじめ付与されていることを特徴とする請求項１３に記載の医用情報処理装置。
【請求項１５】
所定情報を含む医用情報をネットワークを通じて送信する複数の医用情報送信装置と、前記複数の医用情報送信装置のそれぞれにより送信された医用情報を前記ネットワークを通じて受信する医用情報処理装置とを有する医用情報処理システムであって、
前記医用情報処理装置は、
前記医用情報を記憶する記憶手段と、
前記受信された医用情報に含まれる所定情報と同種の所定情報を含む医用情報が前記記憶手段に記憶されているか判断する判断手段と、
前記同種の所定情報が記憶されていると判断された場合に、当該入力された所定情報及び当該同種の所定情報のそれぞれに対してあらかじめ付与された優先順位を比較し、いずれの優先順位が上位であるか判定する判定手段と、
前記判断手段により前記同種の所定情報が記憶されていないと判断された場合に、当該入力された医用情報を前記記憶手段に記憶させ、
前記判定手段により前記入力された所定情報の優先順位の方が上位と判定された場合に、当該入力された医用情報を前記記憶手段に記憶させるとともに、前記記憶されている医用情報の前記同種の所定情報を該入力された所定情報に変更し、
前記同種の所定情報の優先順位の方が上位と判定された場合に、当該入力された所定情報を前記同種の所定情報に変更して当該入力された医用情報を前記記憶手段に記憶させる制御手段と、
を備えることを特徴とする医用情報処理システム。
【請求項１６】
所定情報を含む医用情報をネットワークを通じて送信する複数の医用情報送信装置と、前記複数の医用情報送信装置のそれぞれにより送信された医用情報を前記ネットワークを通じて受信する医用情報処理装置とを有する医用情報処理システムであって、
前記医用情報処理装置は、
前記受信された医用情報を記憶する記憶手段と、
前記記憶手段に記憶されている複数の医用情報のそれぞれに含まれる所定情報に対してあらかじめ付与された優先順位を比較し、いずれの優先順位が最も上位であるか判定する判定手段と、
医用情報を出力する出力手段と、
前記記憶された医用情報を前記出力手段により出力させるときに、当該医用情報に含まれる所定情報を、前記判定手段により優先順位が最も上位と判定された所定情報に変更して出力させる制御手段と、
を備えることを特徴とする医用情報処理システム。
【請求項１７】
医用情報を記憶する記憶手段を備えるコンピュータに医用情報の処理を実行させる医用情報処理プログラムであって、
前記コンピュータに、
医用情報を入力する機能と、
前記入力された医用情報に含まれる所定情報と同種の所定情報を含む医用情報が前記記憶手段に記憶されているか判断する機能と、
前記同種の所定情報が記憶されていると判断された場合に、当該入力された所定情報及び当該同種の所定情報のそれぞれに対してあらかじめ付与された優先順位を比較し、いずれの優先順位が上位であるか判定する機能と、
前記同種の所定情報が記憶されていないと前記判断された場合に、当該入力された医用情報を前記記憶手段に記憶させ、
前記入力された所定情報の優先順位の方が上位と前記判定された場合に、当該入力された医用情報を前記記憶手段に記憶させるとともに、前記記憶されている医用情報の前記同種の所定情報を該入力された所定情報に変更し、
前記同種の所定情報の優先順位の方が上位と前記判定された場合に、当該入力された所定情報を前記同種の所定情報に変更して当該入力された医用情報を前記記憶手段に記憶させる機能と、
を実行させることを特徴とする医用情報処理プログラム。
【請求項１８】
医用情報を記憶する記憶手段と医用情報を出力する出力手段とを備えるコンピュータに医用情報の処理を実行させる医用情報処理プログラムであって、
前記コンピュータに、
医用情報を入力する機能と、
前記入力された医用情報を前記記憶手段に記憶する機能と、
前記記憶手段に記憶されている複数の医用情報のそれぞれに含まれる所定情報に対してあらかじめ付与された優先順位を比較し、いずれの優先順位が最も上位であるか判定する機能と、
前記記憶された医用情報を前記出力手段により出力させるときに、当該医用情報に含まれる所定情報を、優先順位が最も上位と前記判定された所定情報に変更して出力させる機能と、
を実行させることを特徴とする医用情報処理プログラム。
【発明の詳細な説明】
【技術分野】
【０００１】
本発明は、複数の情報源からの医用情報を統合的に管理するための医用情報処理装置、医用情報処理システム及び医用情報処理プログラムに関する。
【背景技術】
【０００２】
現在、医療分野においては、各種の情報処理システムが実用化されている。診療報酬情報や病院の業務管理情報等の病院情報を管理する「ＨＩＳ」、放射線科における情報管理を行う「ＲＩＳ」、医用画像の保管及び通信を行う「ＰＡＣＳ」などは、その代表例である。また、これら複数のシステムを結び、院内システムを統合的に管理する技術も進展を見せている。
【０００３】
ここで、「ＨＩＳ」とは、Ｈｏｓｐｉｔａｌ  Ｉｎｆｏｒｍａｔｉｏｎ  Ｓｙｓｔｅｍ（病院情報システム）の略称である。また、「ＲＩＳ」とは、Ｒａｄｉｏｌｏｇｙ  Ｉｎｆｏｒｍａｔｉｏｎ  Ｓｙｓｔｅｍ（放射線科情報システム）の略称である。また、「ＰＡＣＳ」とは、Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ（医用画像保管通信システム）の略称である。
【０００４】
このような医用情報システムには、様々な情報源からデータが入力されてくる。たとえばＰＡＣＳには、様々な種類の医用画像診断装置（Ｘ線診断装置、Ｘ線ＣＴ装置、ＭＲＩ装置、核医学診断装置、超音波診断装置等）から撮影画像が入力されてくる。また、ＨＩＳ、ＲＩＳ、ＰＡＣＳは、それぞれ他のシステムとの間でデータのやりとりを行っている。
【０００５】
なお、ＨＩＳ、ＲＩＳ、ＰＡＣＳについて、また、これらのシステム間におけるデータ通信については、たとえば下記の特許文献１などに開示されている。
【０００６】
【特許文献１】特開平８−７０１３号公報
【発明の開示】
【発明が解決しようとする課題】
【０００７】
このような医用情報処理システムを実用化するにあたり、複数の情報源から異なる形式のデータが入力されることがある。たとえば、日本製の医用画像診断装置と外国製の医用画像診断装置とが接続されたＰＡＣＳにおいて、日本製装置から入力される患者情報や診療情報等のデータは日本語形式（漢字、片仮名等）を有しており、一方、外国製装置から入力される当該データは外国語形式（英語等）を有していることがある。
【０００８】
一例として、或る患者に対し、日本製のＸ線ＣＴ装置による画像撮影と、外国製のＭＲＩ装置による画像撮影とをそれぞれ実施した場合、Ｘ線ＣＴ装置から入力される患者氏名情報は「ヤマダ  タロウ」等の日本語形式のデータであり、ＭＲＩ装置から入力される患者氏名情報は「Ｙａｍａｄａ  Ｔａｒｏｕ」等の外国語形式のデータである。
【０００９】
このように、同種のデータに異なる形式のデータが混在する場合には、複数のデータ間の同一性を判断するときに各データの形式を考慮しなければならず、余計な時間と労力が必要になる。
【００１０】
たとえば上述の例では、Ｘ線ＣＴ装置による撮影画像には日本語形式の患者氏名が付帯され、ＭＲＩ装置による撮影画像には外国語形式の患者氏名が付帯される。閲覧者は、各撮影画像に付帯された患者氏名を参照して撮影対象（患者）を認識する。したがって、ＣＴ画像の撮影対象とＭＲＩ画像の撮影対象とが同一であることを患者氏名から判断するには、余計な時間と労力が必要となる。また、患者ＩＤ等を別途参照することもできるが、やはり余計な時間と労力が必要となる。
【００１１】
特に、両装置による撮影を依頼した医師は、依頼内容中の患者氏名と異なる形式のデータが付された撮影画像を閲覧することとなる。たとえば、上記の例において、日本語で患者氏名を表記してＭＲＩ装置による撮影依頼を発注したにも拘わらず、ＭＲＩ画像を閲覧する際には、患者氏名はローマ字で表記されることとなる。したがって、撮影依頼時及び撮影画像閲覧時における患者氏名の記載形式が互いに異なることから、その撮影画像が依頼した患者のものであるかを判断するのに余計な時間や手間を要することとなる。
【００１２】
また、同種のデータのリストを参照する場合に、そのリスト中に複数の形式のデータが混在していると、リスト参照時に混乱が生じるおそれがある。たとえば、上述の例において、当該患者の撮影画像のリストを表示させると、ＣＴ画像の患者氏名は日本語にて表記され、ＭＲＩ画像の患者氏名はローマ字にて表記されてしまう。
【００１３】
このように、同種のデータを同じ形式に統一して参照し閲覧したいと望むユーザが多数いるにも拘わらず、従来のシステムでは、そのような要望に応えることは非常に困難であった。
【００１４】
また、従来の構成において同種のデータを同じ形式に統一するには、それらのデータを一つずつ所望の形式に修正していた。しかし、このような事後的な修正作業には多大な時間と手間が必要であった。
【００１５】
なお、複数の情報源から入力されるデータの形式が異なってしまうデータには、患者氏名の他にも、患者の生年月日や年齢や性別等の患者情報、検査名や疾患名等の診療内容、検査日時等の診療日時等の診療情報など、様々な種類がある。
【００１６】
本発明は、以上のような事情に鑑みてなされたもので、複数の情報源から異なる形式で入力される同種の情報を統一して管理することが可能な医用情報処理装置、医用情報処理システム及び医用情報処理プログラムを提供することを目的とする。
【課題を解決するための手段】
【００１７】
上記目的を達成するために、請求項１に記載の発明は、所定情報を含む医用情報を入力する入力手段と、前記医用情報を記憶する記憶手段と、前記入力された医用情報に含まれる所定情報と同種の所定情報を含む医用情報が前記記憶手段に記憶されているか判断する判断手段と、前記同種の所定情報が記憶されていると判断された場合に、当該入力された所定情報及び当該同種の所定情報のそれぞれに対してあらかじめ付与された優先順位を比較し、いずれの優先順位が上位であるか判定する判定手段と、前記判断手段により前記同種の所定情報が記憶されていないと判断された場合に、当該入力された医用情報を前記記憶手段に記憶させ、前記判定手段により前記入力された所定情報の優先順位の方が上位と判定された場合に、当該入力された医用情報を前記記憶手段に記憶させるとともに、前記記憶されている医用情報の前記同種の所定情報を該入力された所定情報に変更し、前記同種の所定情報の優先順位の方が上位と判定された場合に、当該入力された所定情報を前記同種の所定情報に変更して当該入力された医用情報を前記記憶手段に記憶させる制御手段と、を備えることを特徴とする医用情報処理装置である。
【００１８】
また、請求項２に記載の発明は、請求項１に記載の医用情報処理装置であって、前記医用情報は患者識別情報を含み、前記判断手段は、前記入力された医用情報に含まれる患者識別情報と同じ患者識別情報を含む医用情報を前記記憶手段から検索する検索手段を備え、前記検索された医用情報に前記同種の所定情報が含まれているか判断する、ことを特徴とする。
【００１９】
また、請求項３に記載の発明は、請求項１又は請求項２に記載の医用情報処理装置であって、前記入力された所定情報及び前記同種の所定情報は、患者情報又は診療情報における同一の情報項目を互いに異なる表現形式で表す情報であることを特徴とする。
【００２０】
また、請求項４に記載の発明は、所定情報を含む医用情報を入力する入力手段と、前記入力された医用情報を記憶する記憶手段と、前記記憶手段に記憶されている複数の医用情報のそれぞれに含まれる所定情報に対してあらかじめ付与された優先順位を比較し、いずれの優先順位が最も上位であるか判定する判定手段と、医用情報を出力する出力手段と、前記記憶された医用情報を前記出力手段により出力させるときに、当該医用情報に含まれる所定情報を、前記判定手段により優先順位が最も上位と判定された所定情報に変更して出力させる制御手段と、を備えることを特徴とする医用情報処理装置である。
【００２１】
また、請求項５に記載の発明は、請求項４に記載の医用情報処理装置であって、前記出力手段は、医用情報を表示する表示手段を含むことを特徴とする。
【００２２】
また、請求項６に記載の発明は、請求項４又は請求項５に記載の医用情報処理装置であって、前記複数の医用情報のそれぞれに含まれる所定情報は、患者情報又は診療情報における同一の情報項目を異なる表現形式で表す情報であることを特徴とする。
【００２３】
また、請求項７に記載の発明は、請求項１ないし請求項６のいずれか一項に記載の医用情報処理装置であって、前記所定情報の優先順位は、医用情報の複数の情報源のそれぞれに対応してあらかじめ付与されたものであり、前記判定手段は、前記複数の情報源のそれぞれに対応して付与された前記所定情報の優先順位を記録した優先順位情報をあらかじめ格納する格納手段を備え、前記優先順位情報を参照して前記所定情報の優先順位の前記比較を行う、ことを特徴とする。
【００２４】
また、請求項８に記載の発明は、請求項１ないし請求項６のいずれか一項に記載の医用情報処理装置であって、前記優先順位は、前記記憶手段に記憶された医用情報の閲覧者によってあらかじめ付与されたものであり、前記判定手段は、前記閲覧者により付与された前記所定情報の優先順位を記録した優先順位情報をあらかじめ格納する格納手段を備え、前記優先順位情報を参照して前記所定情報の優先順位の前記比較を行う、ことを特徴とする。
【００２５】
また、請求項９に記載の発明は、請求項３又は請求項６に記載の医用情報処理装置であって、前記同一の情報項目は、患者情報における患者氏名、患者性別もしくは患者生年月日、又は、診療情報における診療日時もしくは診療内容であることを特徴とする。
【００２６】
また、請求項１０に記載の発明は、請求項３又は請求項６に記載の医用情報処理装置であって、前記表現形式は、前記同一の情報項目を表記する言語であることを特徴とする。
【００２７】
また、請求項１１に記載の発明は、請求項１ないし請求項１０のいずれか一項に記載の医用情報処理装置であって、医用画像を撮影し、この撮影された医用画像に前記所定情報を添付して医用情報を作成し、この作成された医用情報をネットワークを通じて送信する１以上の医用画像診断装置にそれぞれ接続されており、前記入力手段は、前記１以上の医用画像診断装置のいずれかにより前記ネットワークを通じて送信された医用情報を受信する、ことを特徴とする。
【００２８】
また、請求項１２に記載の発明は、請求項１ないし請求項１０のいずれか一項に記載の医用画像診断装置であって、医用画像を撮影し、この撮影された医用画像をネットワークを通じて送信する１以上の医用画像診断装置のそれぞれに接続されており、前記入力手段は、前記１以上の医用画像診断装置のいずれかにより前記ネットワークを通じて送信された医用画像を受信する画像受信手段と、前記撮影された医用画像に関連する所定情報を入力するための情報入力手段と、を備える、ことを特徴とする。
【００２９】
また、請求項１３に記載の発明は、請求項１１又は請求項１２に記載の医用情報処理装置であって、前記所定情報を含む病院情報を管理する病院情報システム、及び／又は、前記所定情報を含む放射線科情報を管理する放射線科情報システムに、前記ネットワークを介して接続されており、前記入力手段は、前記病院情報システム又は前記放射線科情報システムにより前記ネットワークを通じて出力された前記所定情報を入力する、ことを特徴とする。
【００３０】
また、請求項１４に記載の発明は、請求項１３に記載の医用情報処理装置であって、前記病院情報システム又は前記放射線科情報システムにより出力される前記所定情報には、最も上位の優先順位があらかじめ付与されていることを特徴とする。
【００３１】
また、請求項１５に記載の発明は、所定情報を含む医用情報をネットワークを通じて送信する複数の医用情報送信装置と、前記複数の医用情報送信装置のそれぞれにより送信された医用情報を前記ネットワークを通じて受信する医用情報処理装置とを有する医用情報処理システムであって、前記医用情報処理装置は、前記医用情報を記憶する記憶手段と、前記受信された医用情報に含まれる所定情報と同種の所定情報を含む医用情報が前記記憶手段に記憶されているか判断する判断手段と、前記同種の所定情報が記憶されていると判断された場合に、当該入力された所定情報及び当該同種の所定情報のそれぞれに対してあらかじめ付与された優先順位を比較し、いずれの優先順位が上位であるか判定する判定手段と、前記判断手段により前記同種の所定情報が記憶されていないと判断された場合に、当該入力された医用情報を前記記憶手段に記憶させ、前記判定手段により前記入力された所定情報の優先順位の方が上位と判定された場合に、当該入力された医用情報を前記記憶手段に記憶させるとともに、前記記憶されている医用情報の前記同種の所定情報を該入力された所定情報に変更し、前記同種の所定情報の優先順位の方が上位と判定された場合に、当該入力された所定情報を前記同種の所定情報に変更して当該入力された医用情報を前記記憶手段に記憶させる制御手段と、を備えることを特徴とする。
【００３２】
また、請求項１６に記載の発明は、所定情報を含む医用情報をネットワークを通じて送信する複数の医用情報送信装置と、前記複数の医用情報送信装置のそれぞれにより送信された医用情報を前記ネットワークを通じて受信する医用情報処理装置とを有する医用情報処理システムであって、前記医用情報処理装置は、前記受信された医用情報を記憶する記憶手段と、前記記憶手段に記憶されている複数の医用情報のそれぞれに含まれる所定情報に対してあらかじめ付与された優先順位を比較し、いずれの優先順位が最も上位であるか判定する判定手段と、医用情報を出力する出力手段と、前記記憶された医用情報を前記出力手段により出力させるときに、当該医用情報に含まれる所定情報を、前記判定手段により優先順位が最も上位と判定された所定情報に変更して出力させる制御手段と、を備えることを特徴とする。
【００３３】
また、請求項１７に記載の発明は、医用情報を記憶する記憶手段を備えるコンピュータに医用情報の処理を実行させる医用情報処理プログラムであって、前記コンピュータに、医用情報を入力する機能と、前記入力された医用情報に含まれる所定情報と同種の所定情報を含む医用情報が前記記憶手段に記憶されているか判断する機能と、前記同種の所定情報が記憶されていると判断された場合に、当該入力された所定情報及び当該同種の所定情報のそれぞれに対してあらかじめ付与された優先順位を比較し、いずれの優先順位が上位であるか判定する機能と、前記同種の所定情報が記憶されていないと前記判断された場合に、当該入力された医用情報を前記記憶手段に記憶させ、前記入力された所定情報の優先順位の方が上位と前記判定された場合に、当該入力された医用情報を前記記憶手段に記憶させるとともに、前記記憶されている医用情報の前記同種の所定情報を該入力された所定情報に変更し、前記同種の所定情報の優先順位の方が上位と前記判定された場合に、当該入力された所定情報を前記同種の所定情報に変更して当該入力された医用情報を前記記憶手段に記憶させる機能と、を実行させることを特徴とする。
【００３４】
また、請求項１８に記載の発明は、医用情報を記憶する記憶手段と医用情報を出力する出力手段とを備えるコンピュータに医用情報の処理を実行させる医用情報処理プログラムであって、前記コンピュータに、医用情報を入力する機能と、前記入力された医用情報を前記記憶手段に記憶する機能と、前記記憶手段に記憶されている複数の医用情報のそれぞれに含まれる所定情報に対してあらかじめ付与された優先順位を比較し、いずれの優先順位が最も上位であるか判定する機能と、前記記憶された医用情報を前記出力手段により出力させるときに、当該医用情報に含まれる所定情報を、優先順位が最も上位と前記判定された所定情報に変更して出力させる機能と、を実行させることを特徴とする。
【発明の効果】
【００３５】
請求項１、請求項１５、請求項１７に記載の発明によれば、医用情報が入力されると、その入力された医用情報に含まれる所定情報と同種の所定情報を含む医用情報が記憶手段に記憶されているか判断するようになっている。同種の所定情報が記憶されていないと判断された場合には、入力された医用情報を記憶手段に記憶させるように作用する。
【００３６】
一方、同種の所定情報が記憶されていると判断された場合には、入力された所定情報及び同種の所定情報のそれぞれに対してあらかじめ付与された優先順位を比較し、いずれの優先順位が上位であるかの判定を行う。入力された所定情報の優先順位の方が上位と判定された場合、入力された医用情報を記憶手段に記憶させるとともに、記憶されている医用情報の同種の所定情報を、入力された所定情報に変更するように作用する。逆に、同種の所定情報の優先順位の方が上位と判定された場合には、入力された所定情報を同種の所定情報に変更して、その入力された医用情報を記憶手段に記憶させるように作用する。
【００３７】
したがって、入力された医用情報に含まれる所定情報と同種の所定情報を含む医用情報が記憶されていた場合に、入力された所定情報及び同種の所定情報のうち、優先順位が下位の側の所定情報が上位の側の所定情報に書き換えられて記憶されるように作用する。それにより、記憶手段に記憶される医用情報に含まれる所定情報を統一して管理することができ、ユーザは、所定情報が統一された医用情報を閲覧したり参照したりすることが可能となる。
【００３８】
請求項４、請求項１６、請求項１８に記載の発明によれば、医用情報が入力されると、その入力された医用情報は記憶手段に記憶される。記憶手段に記憶された各医用情報に含まれる所定情報には、あらかじめ優先順位が付与されている。本発明は、これらの所定情報の優先順位を比較して、いずれの優先順位が最も上位であるかを判定するとともに、出力手段により医用情報を出力させるときに、その医用情報に含まれる所定情報を、優先順位が最も上位と判定された所定情報に変更してから出力させるように作用する。それにより、ユーザは、所定情報が統一された医用情報を閲覧したり参照したりすることが可能となる。
【発明を実施するための最良の形態】
【００３９】
本発明に係る医用情報処理装置、医用情報処理システム及び医用情報処理プログラムの好適な実施の形態の一例について、図面を参照しながら詳細に説明する。
【００４０】
〈第１の実施形態〉
図１は、本発明に係る医用情報処理システムの第１の実施形態の全体構成の一例を表す。同図に示す医用情報処理システム１は、病院内に構築されたＬＡＮ（Ｌｏｃａｌ  Ａｒｅａ  Ｎｅｔｗｏｒｋ）等のネットワークＮを介して通信可能に接続された複数の装置を含んで構成され、特に医用画像のデータ管理に利用されるシステムである。
【００４１】
具体的には、この医用情報処理システム１には、ネットワークＮを介して接続された、複数の医用画像診断装置２Ａ、２Ｂ、２Ｃと、ＨＩＳ／ＲＩＳ３と、ＰＡＣＳ４と、医師端末６とを含んで構成されている。以下、これらの装置やシステムについて、個々に詳しく説明する。
【００４２】
［医用画像診断装置］
医用画像診断装置２Ａ〜２Ｃは、それぞれ、Ｘ線診断装置、Ｘ線ＣＴ装置、ＭＲＩ装置、核医学診断装置、超音波診断装置等の任意の医用画像診断装置である。各医用画像診断装置２Ａ〜２Ｃは、本発明にいう「情報源」及び「医用情報送信装置」のそれぞれの一例に相当するものである。
【００４３】
Ｘ線診断装置は、人体等のＸ線画像（レントゲン画像）を撮影するため装置である。また、Ｘ線ＣＴ（Ｃｏｍｐｕｔｅｄ  Ｔｏｍｏｇｒａｐｈｙ）装置は、人体等の断層像などのＸ線ＣＴ画像を撮影するための装置である。また、ＭＲＩ（Ｍａｇｎｅｔｉｃ  Ｒｅｓｏｎａｎｃｅ  Ｉｍａｇｉｎｇ）装置は、人体等のＭＲ画像（磁気共鳴画像）を撮影するための装置である。また、核医学診断装置は、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ；単光子放出断層撮影法）装置や、ＰＥＴ（Ｐｏｓｉｔｒｏｎ  Ｅｍｉｓｓｉｏｎ  Ｔｏｍｏｇｒａｐｈｙ；陽電子放出断層撮影法）などの装置である。また、超音波診断装置は、超音波画像（エコー画像）を撮影するための装置である。
【００４４】
各医用画像診断装置２Ａ〜２Ｃによる撮影画像（医用画像）は、ネットワークＮを通じてＰＡＣＳ４に送信される。このときのデータ通信は、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格に準拠して実行される。
【００４５】
また、医用画像診断装置２Ａ〜２Ｃには、ＭＷＭ（Ｍｏｄａｌｉｔｙ  Ｗｏｒｋｌｉｓｔ  Ｍａｎａｇｅｍｅｎｔ）機能を有するものと有しないものとが混在しているとする。たとえば、医用画像診断装置２Ａ、２ＢはＭＷＭ機能を有し、医用画像診断装置２ＣはＭＷＭ機能を有さないものとする。
【００４６】
ここで、ＭＷＭ機能とは、たとえば特開２００５−１９６２５３号公報に記載されているように、医用画像診断装置による検査を受ける患者の患者情報（患者識別情報（患者ＩＤ）、患者名、患者性別、患者生年月日、患者年齢等の患者に関連する情報）や、当該検査に関する診療情報（診療日時、診療内容等の診療に関連する情報）などの情報を、ネットワークＮを通じて伝送可能にする機能である。なお、診療日時は、検査等の診療の実施年月日のみでもよい（つまり、実施時刻は含んでいなくてもよい）。また、診療内容は、疾患名、検査名、医用画像の撮影部位、撮影枚数等を示す情報である。
【００４７】
また、医用画像診断装置２Ａ、２Ｃはそれぞれ日本製であり、医用画像診断装置２Ｂは外国製（英語圏の国）であるとする。
【００４８】
これを反映して、ＭＷＭ機能を有する日本製の医用画像診断装置２ＡからネットワークＮ経由で送信される患者氏名や診療内容等の情報は、日本語（漢字、平仮名、片仮名）で表記されたものであるとする。また、患者性別は「男」、「女」など、日本語表記されるものとする。また、患者生年月日や診療日時は、たとえば算用数字（アラビア数字）を用いて表記され、「２００５／０８／０１」（＝２００５年８月１日）のように、スラッシュ「／」で年、月、日を区切って表現される。なお、「２００５年８月１日」のように表記するようにしてもよい。
【００４９】
一方、ＭＷＭ機能を有する外国製の医用画像診断装置２Ｂから送信される患者氏名は、英語（アルファベット；ローマ字）で表記されるものとする。また、患者性別は「Ｍ（Ｍａｌｅ）」、「Ｆ（Ｆｅｍａｌｅ）」など、英語にて表記されるものとする。また、患者生年月日や診療日時は、算用数字（アラビア数字）を用いて表記され、「０１／０８／２００５」（＝２００５年８月１日）のように、スラッシュ「／」で日、月、年を区切って表現されるものとする。ここで、英語における患者生年月日や診療日時の表記は、日本語表記における年、月、日の順とは逆に、日、月、年の順となっている。また、診療内容は英語で表記されるものとする。
【００５０】
なお、ＭＷＭ機能を有さない日本製の医用画像診断装置２Ｃでの検査における患者情報や診療情報は、手書きやワードプロセッサソフトウェアによって所定の伝票やカルテに記入される。
【００５１】
図１に記載のシステム構成においては、医用画像診断装置の個数は３台であるが、本発明に係る医用情報処理システムにおいては、１以上の任意個数の医用画像診断装置を設けることが可能である。
【００５２】
［ＨＩＳ／ＲＩＳ］
ＨＩＳ／ＲＩＳ３は、病院情報を管理するＨＩＳ（Ｈｏｓｐｉｔａｌ  Ｉｎｆｏｒｍａｔｉｏｎ  Ｓｙｓｔｅｍ；病院情報システム）と、放射線科の情報を管理するＲＩＳ（Ｒａｄｉｏｌｏｇｙ  Ｉｎｆｏｒｍａｔｉｏｎ  Ｓｙｓｔｅｍ；放射線科情報システムとを統合して構成された病院内システムである。このＨＩＳ／ＲＩＳ３は、ＤＩＣＯＭ規格に準拠し、ＭＷＭ機能を搭載している。また、ＨＩＳ／ＲＩＳ３は、本発明にいう「情報源」及び「医用情報送信装置」のそれぞれの一例に相当するものである。
【００５３】
ＨＩＳには、病院情報を格納するデータベースを有するＨＩＳサーバと、このＨＩＳサーバのデータベースに格納された病院情報を閲覧したり書き換えたりするためのコンピュータを含むＨＩＳクライアントとが設けられている（いずれも図示省略）。なお、医師端末６は、このＨＩＳクライアントのひとつとして動作するコンピュータ端末である。
【００５４】
また、ＲＩＳには、放射線科情報を格納するデータベースを有するＲＩＳサーバと、このＲＩＳサーバのデータベースに格納された放射線科情報を閲覧したり書き換えたりするためのコンピュータを含むＲＩＳクライアントとが設けられている（いずれも図示省略）。なお、医師端末６は、このＲＩＳクライアントのひとつとして動作するコンピュータ端末である。
【００５５】
ＨＩＳ／ＲＩＳ３は、前述の患者情報や診療情報を格納するデータベース（図示せず）を備えている。また、ＨＩＳ／ＲＩＳ３は、医師端末６から検査依頼（患者情報や診療情報を含む。）を受けると、この検査依頼を上記データベースに格納するとともに、ＭＷＭ機能付きの医用画像診断装置２Ａ、２Ｂや、ＰＡＣＳ４等に送信する。
【００５６】
［ＰＡＣＳ］
ＰＡＣＳ４は、医用画像の保管や通信を行うための医用画像保管通信システム（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）である。このＰＡＣＳ４は、ＤＩＣＯＭ規格に準拠し、ＭＷＭ機能を搭載しているものとする。
【００５７】
ＰＡＣＳ４には、医用画像を格納するデータベース（後述）を備えたＰＡＣＳサーバ１０と、このＰＡＣＳサーバ１０のデータベースに格納された医用画像の閲覧等を行うためのコンピュータを含むＰＡＣＳクライアント５とが設けられている。なお、医師端末６は、このＰＡＣＳクライアントのひとつとして動作するコンピュータ端末である。以下、ＰＡＣＳサーバ１０について詳しく説明する。
【００５８】
〔ＰＡＣＳサーバ〕
ＰＡＣＳサーバ１０は、本発明の「医用情報処理装置」の一例に相当する。このＰＡＣＳサーバ１０の構成について、図２及び図３に示すブロック図を参照して説明する。ここで、図２は、ＰＡＣＳサーバ１０の機能的構成の一例を表し、図３は、そのハードウェア構成の一例を表す。
【００５９】
〔ＰＡＣＳサーバのハードウェア構成〕
最初に、ＰＡＣＳサーバ１０のハードウェア構成について、図３を参照しながら説明する。
【００６０】
このＰＡＣＳサーバ１０は、従来のコンピュータと同様のハードウェア構成を備えている。具体的には、ＣＰＵ１００（等のマイクロプロセッサ）、ＲＡＭ１０１、ＲＯＭ１０２、ハードディスクドライブ（ＨＤＤ）１０３、キーボード１０４、マウス１０５、ディスプレイ１０６及び通信インターフェイス（Ｉ／Ｆ）１０７を含んで構成されている。これら各部は、バス１０８を介して接続されている。
【００６１】
ＣＰＵ１００は、ハードディスクドライブ１０３に格納された医用情報処理プログラム１０３ａをＲＡＭ１０１上に展開することにより、後述する本発明に特徴的な動作を実行する。また、ＣＰＵ１００は、各種の演算処理を行うとともに、装置各部の制御、たとえばキーボード１０４やマウス１０５からの操作信号に対応する装置各部の制御、ディスプレイ１０６による表示処理の制御、通信インターフェイス１０７によるデータ通信処理の制御などを実行する。
【００６２】
ハードディスクドライブ１０３には、前述のように、医用情報処理プログラム１０３ａがあらかじめ格納されている。換言すれば、このＰＡＣＳサーバ１０には、医用情報処理プログラム１０３ａがインストールされている。
【００６３】
キーボード１０４は、文字や数字等をタイピング入力するための入力デバイスとして用いられる。マウス１０５は、ディスプレイ１０６の表示画面に対する各種入力操作を行うための操作デバイス、入力デバイスとして用いられる。ディスプレイ１０６は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等の任意の表示デバイスである。
【００６４】
これらキーボード１０４、マウス１０５及びディスプレイ１０６は、ＰＡＣＳサーバ１０のユーザインターフェイスとして使用される。このユーザインターフェイスは、伝票やカルテに記載された事項をＰＡＣＳサーバ１０に入力するときなどに使用される。このユーザインターフェイスは、本発明の「情報入力手段」の一例に相当する。
【００６５】
なお、このようなユーザインターフェイス（情報入力手段）は、ＰＡＣＳサーバ１０に設ける以外にも、ＰＡＣＳクライアント５に設けることが可能である。その場合、ＰＡＣＳ４が本発明の「医用情報処理装置」として用いられる。
【００６６】
通信インターフェイス２７は、ネットワークＮを通じてデータの送受信を行うネットワークアダプタである。ネットワークＮがＬＡＮの場合、通信インターフェイス２７はＬＡＮカードを含んで構成される。
【００６７】
ＰＡＣＳサーバ１０が管理する各種の医用情報（特に画像情報）は、ハードディスクドライブ１０３や、ＰＡＣＳサーバ１０がアクセス可能な大容量記憶装置（図示せず）に形成されたデータベースに格納される。
【００６８】
〔ＰＡＣＳサーバの機能的構成〕
次に、以上のようなハードウェア構成を具備するＰＡＣＳサーバ１０の機能的構成を、図２を参照しつつ説明する。
【００６９】
ＰＡＣＳサーバ１０は、情報入力部１１、医用情報記憶部１２、記憶状況判断部１３、優先順位判定部１４、制御部１５及び情報出力部１６を含んで構成されている。以下、これら各部の詳細をそれぞれ説明する。
【００７０】
（情報入力部）
情報入力部１１は、ＰＡＣＳサーバ１０に医用情報を入力する本発明の「入力手段」の一例に相当するものであり、情報受信部１１１、操作部１１２及び表示部１１３を含んで構成される。
【００７１】
情報受信部１１１は、通信インターフェイス１０７を含んで構成され、医用画像診断装置２Ａ〜２Ｃ、ＨＩＳ／ＲＩＳ３、医師端末６によりネットワークＮを通じて送信された医用情報を受信する。この情報受信部１１１は、特に、本発明の「画像受信手段」として、各医用画像診断装置２Ａ〜２Ｃにより送信された医用画像を受信する処理を行う。また、各医用画像診断装置２Ａ、２ＢやＨＩＳ／ＲＩＳ３から送信された患者情報や診療情報を受信する処理を行う。
【００７２】
また、情報受信部１１１は、受信した医用情報がどの装置から送信されたものであるか、つまり当該医用情報の情報源はどの装置か、を特定することができる。この情報源特定処理は、たとえば次のようにして実行される。情報源の装置は、各装置にあらかじめ割り当てられたネットワークアドレスを付して医用情報を送信する。このネットワークアドレスは、たとえば医用情報のヘッダ部分等の特定の記憶領域に記憶されている。情報受信部１１１は、医用情報を受信すると、その医用情報に付されたネットワークアドレスを参照して情報源を特定する。
【００７３】
操作部１１２は、伝票やカルテに記載された患者情報や診療情報等の情報を手入力するために操作されるもので、キーボード１１４やマウス１１５等の操作デバイスを含んで構成されている。表示部１１３は、ディスプレイ１０６を含んで構成される。
【００７４】
操作部１１２と表示部１１３は、ＰＡＣＳサーバ１０のユーザインターフェイスとして用いられる。このユーザインターフェイスは、前述のように、本発明の「情報入力手段」の一例を構成するものである。また、表示部１１３は、本発明の「表示手段」の一例を構成している。
【００７５】
情報入力部１１により入力された情報は、その情報源を特定する情報源特定情報とともに記憶状況判断部１３に伝送される。なお、上記ユーザインターフェイスがＰＡＣＳクライアント５に設けられている場合（前述）、このユーザインターフェイスから入力された情報は、ＰＡＣＳクライアント５からネットワークＮを通じてＰＡＣＳサーバ１０に送信されるとともに、情報受信部１１１により受信されて記憶状況判断部１３に伝送される。
【００７６】
（医用情報記憶部）
医用情報記憶部１２は、ＰＡＣＳ４が管理する各種の医用情報を記憶する、本発明の「記憶手段」の一例に相当し、ハードディスクドライブ１０３や前述の大容量記憶装置を含んで構成される。
【００７７】
（記憶状況判断部）
記憶状況判断部１３は、情報入力部１１により入力された医用情報に含まれる所定情報と同種の所定情報を含む医用情報が医用情報記憶部１２に記憶されているか判断する処理を行うもので、本発明の「判断手段」の一例に相当する。この記憶状況判断部１３は、ＣＰＵ１００を含んで構成されている。
【００７８】
ここで、判断対象とされる「所定情報」としては、たとえば患者情報や診療情報の情報項目、すなわち、患者氏名、患者性別、患者生年月日、診療日時、診療内容等の情報項目についての具体的内容などがある。一例として、医用画像診断装置によって撮影された医用画像に添付される患者情報等の付帯情報などがある。また、所定情報が判断対象とされる情報項目は、医用情報処理プログラム１０３ａにおけるデフォルト設定や、ＰＡＣＳ４が管理する情報の閲覧者などによってあらかじめ設定されている。
【００７９】
また、所定情報が「同種」であるとは、各々の所定情報が同一の情報項目を表すものであることを意味する。たとえば、情報項目「患者氏名」を表す２つの所定情報「ヤマダ  タロウ」と「Ｙａｍａｄａ  Ｔａｒｏｕ」や、情報項目「診療日時」を表す２つの所定情報「２００５／０８／０１」と「０１／０８／２００５」は、それぞれ同種の所定情報となる。
【００８０】
これらの例からも分かるように、同種の所定情報であっても、表記言語や表示順序などの表現形式が異なる場合がある。この表現形式の相異は、たとえば、前述のように、装置が日本製であるか外国製であるかなどの相異に起因している。また、所定情報を依頼する医師等の癖などによって表現形式が相異することもある。
【００８１】
ここで、ＤＩＣＯＭ規格における医用情報のデータ構成について簡単に説明する。ＤＩＣＯＭ規格に準拠した医用装置は、医用画像等のデータを送信する際に、そのデータの付帯情報をヘッダ部分に添付するようになっている。ヘッダ部分は、所定ビットごとの記憶領域に区切られており、各記憶領域には所定の情報が記憶されるようになっている。この所定の情報としては、たとえば患者ＩＤやデータ長などがある。
【００８２】
また、ＭＷＭ機能を搭載した医用装置では、データを送信する際に、そのヘッダ部分等の特定フィールドに前述の患者情報や診療情報を記憶させて当該データを送信するようになっている。データを受信した医用装置は、そのデータのヘッダ部分や特定フィールドを選択的に解析することにより、記憶されている情報項目を特定するとともに、各情報項目の内容（所定情報）を取得する。
【００８３】
さて、記憶状況判断部１３には、ＣＰＵ１００を含んで構成される医用情報検索部１３１が設けられている。この医用情報検索部１３１は、本発明の「検索手段」の一例に相当するもので、情報入力部１１により入力された医用情報に含まれる患者ＩＤを参照し、それと同じ患者ＩＤを含む医用情報を医用情報記憶部１２から検索する。すなわち、医用情報検索部１３１は、入力された医用情報と同一の患者に関する医用情報を、過去のデータベース（医用情報記憶部１２）から検索するように動作するものである。
【００８４】
記憶状況判断部１３は、医用情報検索部１３１により検索された医用情報を解析し、入力された医用情報中の所定情報と同種の所定情報が含まれているか否かを判断する。
【００８５】
同種の所定情報が含まれていると判断した場合、記憶状況判断部１３は、入力された医用情報と、その所定情報の情報項目を特定する情報項目特定情報と、その情報源特定情報と、検索された同種の所定情報とを、優先順位判定部１４に送る。
【００８６】
一方、同種の所定情報が含まれていないと判断した場合（上記検索により医用情報が検索されなかった場合を含む。）、記憶状況判断部１３は、当該判断結果を示す情報と、入力された医用情報と、その情報源特定情報とを制御部１５に送る。ここで、判断結果を示す情報として、たとえばフラグを用いることができる。
【００８７】
（優先順位判定部）
優先順位判定部１４は、本発明の「判定手段」の一例に相当し、入力された所定情報と同種の所定情報が記憶されていると記憶状況判断部１３が判断した場合に動作するものである。この優先順位判定部１４は、ＣＰＵ１００と、ハードディスクドライブ１０３等の不揮発性記憶装置とを含んで構成される。
【００８８】
優先順位判定部１４には、ハードディスクドライブ１０３等の不揮発性記憶装置からなる優先順位格納部１４１が設けられている。この優先順位格納部１４１は、優先順位情報を格納する本発明の「格納手段」の一例に相当する。
【００８９】
優先順位情報には、医用画像診断装置２Ａ〜２Ｃ、ＨＩＳ／ＲＩＳ３、医師端末６等の各情報源に対応して設定された所定情報の優先順位が、各情報項目ごとに記録されている。優先順位情報に含まれる情報項目と各所定情報の優先順位とは、それぞれ、あらかじめ設定されている。この優先順位情報の内容は、たとえば、ＰＡＣＳ４の管理者や、ＰＡＣＳ４が管理する情報の閲覧者（ＰＡＣＳクライアント５や医師端末６のユーザ等）などにより設定、変更される。
【００９０】
図４は、優先順位情報の一例の概要を表している。同図に示す優先順位情報には、「情報源」として、「医用画像診断装置Ｉ（２Ａ）」、「医用画像診断装置II（２Ｂ）」、「医用画像診断装置III（２Ｃ）」、「ＨＩＳ／ＲＩＳ３」が設定されており、「情報項目」として、「患者氏名」、「患者性別」、「患者生年月日」、「診療日時」、「診療内容」がそれぞれ設定されている。
【００９１】
情報項目「患者氏名」については、医用画像診断装置Ｉ（２Ａ）の優先順位が「１」に、医用画像診断装置II（２Ｂ）の優先順位が「４」に、医用画像診断装置III（２Ｃ）の優先順位が「３」に、ＨＩＳ／ＲＩＳ３の優先順位が「２」に、それぞれ設定されている。ここで、医用画像診断装置Ｉ（２Ａ）からの患者氏名は片仮名で、医用画像診断装置II（２Ｂ）からの患者氏名はローマ字で、医用画像診断装置III（２Ｃ）及びＨＩＳ／ＲＩＳ３からの患者氏名は漢字で、それぞれ表記される。
【００９２】
また、情報項目「患者性別」については、医用画像診断装置Ｉ（２Ａ）の優先順位が「３」に、医用画像診断装置II（２Ｂ）の優先順位が「１」に、医用画像診断装置III（２Ｃ）の優先順位が「４」に、ＨＩＳ／ＲＩＳ３の優先順位が「２」に、それぞれ設定されている。ここで、医用画像診断装置Ｉ（２Ａ）からの患者性別は「男」又は「女」で、医用画像診断装置II（２Ｂ）からの患者性別は「Ｍ」、「Ｆ」で、医用画像診断装置III（２Ｃ）からの患者性別は「男性」又は「女性」で、ＨＩＳ／ＲＩＳ３からの患者性別は「男」又は「女」で、それぞれ表記される。
【００９３】
また、情報項目「患者生年月日」及び「診療日時」については、医用画像診断装置Ｉ（２Ａ）の優先順位が「１」に、医用画像診断装置II（２Ｂ）の優先順位が「４」に、医用画像診断装置III（２Ｃ）の優先順位が「３」に、ＨＩＳ／ＲＩＳ３の優先順位が「２」に、それぞれ設定されている。ここで、医用画像診断装置Ｉ（２Ａ）、II（２Ｃ）、及び、ＨＩＳ／ＲＩＳ３による表記は、年、月、日の順となっており、医用画像診断装置２Ｂによる表記は、日、月、年の順となっている。
【００９４】
また、情報項目「診療内容」については、医用画像診断装置Ｉ（２Ａ）の優先順位が「２」に、医用画像診断装置II（２Ｂ）の優先順位が「４」に、医用画像診断装置III（２Ｃ）の優先順位が「３」に、ＨＩＳ／ＲＩＳ３の優先順位が「１」に、それぞれ設定されている。ここで、医用画像診断装置Ｉ（２Ａ）、医用画像診断装置III（２Ｃ）及びＨＩＳ／ＲＩＳ３からの診療内容は日本語で、医用画像診断装置II（２Ｂ）からの診療内容は英語で、それぞれ表記される。
【００９５】
なお、図４の優先順位情報においては、各情報項目ごとに優先順位が設定されているが、複数の情報項目に対して優先順位をまとめて設定してもよい。たとえば、患者情報の複数の情報項目についてまとめて優先順位を設定するとともに、診療情報の複数の情報項目についてまとめて優先順位を設定することができる。以上で、優先順位情報に関する説明は終了し、優先順位判定部１４の説明に戻る。
【００９６】
優先順位判定部１４は、記憶状況判断部１３からの情報項目特定情報及び情報源特定情報に基づいて、入力された所定情報の情報項目及び情報源をそれぞれ特定し、その情報項目及び情報源に対応する当該所定情報の優先順位を、優先順位情報を参照して取得する。
【００９７】
また、優先順位判定部１４は、検索された同種の所定情報の優先順位を、優先順位情報から取得する。なお、検索された同種の所定情報は、医用画像診断装置２Ａ〜２ＣやＨＩＳ／ＲＩＳ３から過去に送信されたものであり、情報項目特定情報及び情報源特定情報が添付された状態で記憶されている。
【００９８】
更に、優先順位判定部１４は、入力された所定情報の優先順位と、検索された同種の所定情報の優先順位とを比較し、どちらの優先順位が上位であるか判定する。ここで、「上位」とは、優先順位を示す数字が小さいことを意味する。たとえば、優先順位「２」は、優先順位「３」よりも上位である。
【００９９】
そして、優先順位判定部１４は、入力された医用情報と、その情報源特定情報と、優先順位が上位と判定された所定情報と、優先順位の判定結果を示す情報とを制御部１５に送る。ここで、判定結果を示す情報の一例として、たとえば、入力された所定情報の方が上位のときには所定のフラグを立て、検索された所定情報の方が上位のときには当該フラグを立てないように構成することができる。
【０１００】
ところで、図４に示す優先順位情報においては、異なる情報源から入力される同一の所定情報に対して、それぞれ異なる優先順位が設定されている。たとえば、情報項目「患者生年月日」、「診療日時」、「診療内容」について、医用画像診断装置２Ａ、２Ｃ、及びＨＩＳ／ＲＩＳ３からの所定情報は同一の表記（日本語）であるが、各情報源に対して異なる優先順位が設定されている。これは、優先順位判定処理において、異なる情報源からの所定情報の優先順位が等しくなり、上位／下位の比較判定ができなくなる事態を回避するための便宜的な設定である。なお、異なる情報源から入力される同一の所定情報の優先順位は、全て、他の情報源から入力される所定情報に対して上位あるいは下位に設定される必要がある。
【０１０１】
ただし、異なる情報源からの同一の所定情報に対して同一の優先順位が設定された優先順位情報を採用することも可能である。その場合、優先順位判定部１４は、優先順位の等しい所定情報のうちの任意の一つを便宜的に「上位」と判定するようにしてもよいし、入力された医用情報に添付された所定情報を便宜的に「上位」と判定するようにしてもよいし、検索された医用情報に添付された所定情報を便宜的に「上位」と判定するようにしてもよい。
【０１０２】
たとえば、情報項目「患者生年月日」について、医用画像診断装置２Ａの所定情報の優先順位と、医用画像診断装置２Ｃの所定情報の優先順位とが等しいような優先順位情報が格納されているとする。そして、医用画像診断装置２Ａから所定情報が入力され、かつ、医用画像診断装置２Ｃの所定情報が検索されたとする。その場合、優先順位判定部１４は、これら２つの所定情報のうちの任意の一方を上位と判定してもよいし、入力された所定情報若しくは検索された所定情報を上位と判定してもよい。
【０１０３】
（制御部）
制御部１５は、本発明の「制御手段」の一例に相当し、記憶状況判断部１３による判断結果や、優先順位判定部１４による判定結果に基づいて、入力された医用情報の記憶処理、既に記憶されている医用情報に含まれる所定情報の書き換え処理などを実行する。この制御部１５は、ＣＰＵ１００を含んで構成されている。
【０１０４】
制御部１５は、次の３つのケースについて、それぞれ異なる処理を実行するようになっている。第１のケースは、記憶状況判断部１３により、入力された所定情報と同種の所定情報を含む医用情報が医用情報記憶部１２に記憶されていないと判断された場合である。この第１のケースには、医用情報検索部１３１により過去の医用情報が検索されなかった場合が含まれる。第２のケースは、優先順位判定部１４により、入力された所定情報の優先順位の方が、検索された同種の所定情報の優先順位よりも上位であると判定された場合である。第３のケースは、優先順位判定部１４により、検索された同種の所定情報の優先順位の方が、入力された所定情報の優先順位よりも上位であると判定された場合である。以下、各ケースに対応する制御部１５の処理を説明する。
【０１０５】
第１のケース：入力された所定情報と同種の所定情報を含む医用情報が医用情報記憶部１２に記憶されていないと記憶状況判断部１３が判断した場合、制御部１５は、記憶状況判断部１３から、当該判断結果を示す情報と、入力された医用情報と、その情報源特定情報とを受ける。
【０１０６】
制御部１５は、判断結果を示す情報に基づいて、第１のケースであると判断し、入力された医用情報を情報源特定情報とともに医用情報記憶部１２に記憶させる。
【０１０７】
第２のケース：入力された所定情報の優先順位の方が、検索された同種の所定情報の優先順位よりも上位であると判定された場合、制御部１５は、優先順位判定部１４から、入力された医用情報と、その情報源特定情報と、優先順位が上位と判定された所定情報と、優先順位の判定結果を示す情報とを受ける。このとき、優先順位が上位と判定された所定情報は、入力された医用情報に含まれる所定情報である。
【０１０８】
制御部１５は、判定結果を示す情報に基づいて、第２のケースであると判断し、入力された医用情報（所定情報を含む）を情報源特定情報とともに医用情報記憶部１２に記憶させる。更に、制御部１５は、医用情報検索部１３１により検索された各医用情報に含まれる同種の所定情報を、入力された所定情報に変更して記憶させる。
【０１０９】
第３のケース：検索された同種の所定情報の優先順位の方が、入力された所定情報の優先順位よりも上位であると判定された場合、制御部１５は、優先順位判定部１４から、入力された医用情報と、その情報源特定情報と、優先順位が上位と判定された所定情報と、優先順位の判定結果を示す情報とを受ける。このとき、優先順位が上位と判定された所定情報は、検索された医用情報に含まれる所定情報である。
【０１１０】
制御部１５は、入力された医用情報に含まれる所定情報を、検索された同種の所定情報に変更する。そして、この所定情報が変更された医用情報を、情報源特定情報とともに医用情報記憶部１２に記憶させる。なお、検索された医用情報については、そのままの状態で医用情報記憶部１２に記憶されることとなる。
【０１１１】
（情報出力部）
情報出力部１６は、通信インターフェイス１０７を含んで構成され、医用画像診断装置２Ａ〜２Ｃ、ＨＩＳ／ＲＩＳ３、医師端末６などに、ネットワークＮを通じて情報を送信するものである。
【０１１２】
［動作］
以上のような構成を具備する本実施形態に係る医用情報処理システム１の動作（特にＰＡＣＳサーバ１０の動作）について説明する。図５は、医用情報処理システム１の動作の一例を表すフローチャートである。また、図６は、医用情報処理システム１の動作の一具体例を表すフローチャートである。
【０１１３】
まず、図５を参照して、医用情報処理システム１の動作について説明する。医用画像診断装置２Ａ〜２Ｃのいずれかにより医用画像の撮影が行われる（Ｓ１）。情報入力部１１は、その医用画像をネットワークＮ経由で受信するとともに、患者情報や診療情報をネットワークＮ経由で若しくは手入力で入力する（つまり、医用情報を入力する。）（Ｓ２）。
【０１１４】
記憶情報判断部１３の医用情報検索部１３１は、入力された医用情報に含まれる患者ＩＤと同じ患者ＩＤを含む医用情報を、医用情報記憶部１２から検索する（Ｓ３）。
【０１１５】
検索されなかった場合（Ｓ４；Ｎ）、すなわち上記の第１のケースの場合、記憶状況判断部１３は、その旨を示す情報と、入力された医用情報と、その情報源特定情報とを制御部１５に送る（Ｓ５）。制御部１５は、入力された医用情報を情報源特定情報とともに医用情報記憶部１２に記憶させる（Ｓ６）。以上で処理は終了となる。
【０１１６】
一方、検索された場合（Ｓ４；Ｙ）、記憶状況判断部１３は、検索された医用情報について、入力された医用情報に含まれる所定情報と同種の所定情報を含んでいるか判断する（Ｓ７）。
【０１１７】
同種の所定情報が含まれていないと判断された場合（Ｓ７；Ｎ）、すなわち上記の第１のケースの場合、記憶状況判断部１３は、判断結果を示す情報と、入力された医用情報と、その情報源特定情報とを制御部１５に送る（Ｓ５）。制御部１５は、入力された医用情報を情報源特定情報とともに医用情報記憶部１２に記憶させる（Ｓ６）。以上で処理は終了となる。
【０１１８】
一方、同種の所定情報が含まれていると判断された場合（Ｓ７；Ｙ）、記憶状況判断部１３は、入力された医用情報と、その所定情報の情報項目を特定する情報項目特定情報と、その情報源特定情報と、検索された同種の所定情報とを、優先順位判定部１４に送る（Ｓ８）。
【０１１９】
優先順位判定部１４は、優先順位格納部１４１に格納された優先順位情報を参照し、入力された所定情報の優先順位と、検索された同種の所定情報の優先順位とを比較して、どちらの優先順位が上位であるか判定する（Ｓ９）。
【０１２０】
入力された所定情報の優先順位の方が、検索された同種の所定情報の優先順位よりも上位であると判定された場合（Ｓ９；Ｙ）、すなわち上記の第２のケースの場合、優先順位判定部１４は、入力された医用情報と、その情報源特定情報と、優先順位が上位と判定された所定情報（入力された所定情報）と、優先順位の判定結果を示す情報とを制御部１５に送る（Ｓ１０）。
【０１２１】
制御部１５は、入力された医用情報を情報源特定情報とともに医用情報記憶部１２に記憶させ（Ｓ１１）、検索された医用情報に含まれる同種の所定情報を、入力された所定情報に変更する（Ｓ１２）。以上で、処理は終了となる。
【０１２２】
一方、検索された同種の所定情報の優先順位の方が、入力された所定情報の優先順位よりも上位であると判定された場合（Ｓ９；Ｎ）、すなわち上記の第３のケースの場合、優先順位判定部１４は、入力された医用情報と、その情報源特定情報と、優先順位が上位と判定された所定情報（検索された同種の所定情報）と、優先順位の判定結果を示す情報とを制御部１５に送る（Ｓ１３）。
【０１２３】
制御部１５は、入力された医用情報に含まれる所定情報を、検索された同種の所定情報に変更し（Ｓ１４）、この所定情報が変更された医用情報を情報源特定情報とともに医用情報記憶部１２に記憶させる（Ｓ１５）。以上で、処理は終了となる。
【０１２４】
なお、以上に説明した医用情報処理システム１の動作は、優先順位の判定対象が１つしかない場合の動作例である。判定対象が２つ以上ある場合においては、ステップＳ１０〜Ｓ１２の処理と、ステップＳ１３〜Ｓ１５の処理とを同時に行うことがある。以下に説明する〔動作の具体例〕では、そのような場合における医用情報処理システム１の動作の一例を説明する。
【０１２５】
〔動作の具体例〕
以上のような医用情報処理システム１の動作の具体例を説明する。ここで説明する具体例は、或る患者に対して医用画像診断装置２Ａ〜２Ｃによる撮影を行う場合における処理の一例である。なお、撮影順序は、医用画像診断装置２Ｃ（III）、２Ｂ（II）、２Ａ（Ｉ）の順とする。
【０１２６】
なお、本具体例における撮影以前には、当該患者に対する医用画像の撮影はなされていないものとする。すなわち、撮影前の状態において、ＰＡＣＳサーバ１０の医用情報記憶部１２に、当該患者に関する医用情報は記憶されていないものとする。また、ＰＡＣＳサーバ１０の優先順位格納部１４１には、図４に示した優先順位情報が格納されているものとする。また、以下の説明中のステップ番号は、図５のフローチャートにおけるステップ番号を示している。
【０１２７】
（医用画像診断装置IIIからの医用情報の記憶処理）
まず、医用画像診断装置２Ｃ（III）によって医用画像を撮影する（Ｓ１）。この医用画像撮影装置２Ｃは、ＭＷＭ機能を具備していないので、当該装置に対する撮影依頼は、紙媒体からなる伝票に患者情報や診療情報を記入して行われる。医用画像診断装置２Ｃは、ネットワークＮを介して、撮影した医用画像をＰＡＣＳサーバ１０に送信する。
【０１２８】
ＰＡＣＳサーバ１０の情報受信部１１１は、医用画像診断装置２Ｃから送信された医用画像を受信する（Ｓ２）。また、伝票に記入された患者情報や診療情報は、ＰＡＣＳサーバ１０のユーザインターフェイス（操作部１１２、表示部１１３）を用いて入力される（Ｓ２）。
【０１２９】
ＰＡＣＳサーバ１０の記憶状況判断部１３の医用情報検索部１３１は、医用画像に添付されて送信された患者ＩＤと同じ患者ＩＤを含む医用情報を医用情報記憶部１２から検索する（Ｓ３）。前述の仮定により、当該患者に関する医用情報は記憶されていないので、そのような医用情報は検索されない（Ｓ４；Ｎ）。記憶状況判断部１３は、当該判断結果を示す情報と、入力された医用情報と、その情報源特定情報とを制御部１５に送る（Ｓ５）。
【０１３０】
制御部１５は、判断結果を示す情報に基づき、入力された医用画像を情報源特定情報とともに医用情報記憶部１２に記憶させる（Ｓ６）。また、制御部１５は、患者情報等の所定情報を医用情報記憶部１２に記憶させる。
【０１３１】
このとき記憶される所定情報は、たとえば、情報項目「患者氏名」については「山田  太郎」であり、情報項目「患者性別」については「男性」であり、情報項目「患者生年月日」については「１９８０／０４／０１」であり、情報項目「診療日時」については「２００５／０８／０１」であり、情報項目「診療内容」については「肝臓癌」であったとする（図４参照）。以上により、医用画像診断装置２Ｃ（III）からの医用情報の記憶処理は終了となる。
【０１３２】
（医用画像診断装置IIからの医用情報の記憶処理）
続いて、医用画像診断装置２Ｂ（II）によって医用画像を撮影する（Ｓ１）。この医用画像撮影装置２Ｂは、ＭＷＭ機能を具備しているので、撮影された医用画像は、患者情報や診療情報とともにＰＡＣＳサーバ１０にネットワークＮを通じて送信される。ＰＡＣＳサーバ１０の情報受信部１１１は、医用画像診断装置２Ｂから送信された医用画像や患者情報等を受信する（Ｓ２）。
【０１３３】
ここで、患者情報及び診療情報（所定情報）は、情報項目「患者氏名」については「Ｙａｍａｄａ  Ｔａｒｏｕ」であり、情報項目「患者性別」については「Ｍ」であり、情報項目「患者生年月日」については「０１／０４／１９８０」であり、情報項目「診療日時」については「０１／０８／２００５」であり、情報項目「診療内容」については「Ｌｉｖｅｒ  Ｃａｎｃｅｒ」であったとする（図４参照）。
【０１３４】
記憶状況判断部１３の医用情報検索部１３１は、医用画像に添付されて送信された患者ＩＤと同じ患者ＩＤを含む医用情報を医用情報記憶部１２から検索する（Ｓ３）。この検索処理により、医用画像診断装置２Ｃ（III）により撮影された医用画像と患者情報等とを含む医用情報が検索される（Ｓ４；Ｙ）。
【０１３５】
更に、記憶状況判断部１３は、検索された医用情報について、入力された医用情報に含まれる所定情報と同種の所定情報を含んでいるか判断する（Ｓ７）。この検索された医用情報には、同種の所定情報、つまり同一の情報項目の所定情報が含まれている（Ｓ７；Ｙ）。それにより、記憶状況判断部１３は、入力された医用情報と、その所定情報の情報項目を特定する情報項目特定情報と、その情報源特定情報と、検索された同種の所定情報とを、優先順位判定部１４に送る（Ｓ８）。
【０１３６】
優先順位判定部１４は、優先順位格納部１４１に格納された優先順位情報を参照し、入力された所定情報のそれぞれについて（すなわち、各情報項目について）、その入力された所定情報の優先順位と、検索された同種の所定情報の優先順位とを比較し、どちらの優先順位が上位であるか判定する（Ｓ９）。
【０１３７】
図４の優先順位情報に示すように、情報項目「患者氏名」については医用画像診断装置２Ｃ（III）の方が上位であり、情報項目「患者性別」については医用画像診断装置２Ｂ（II）の方が上位であり、情報項目「患者生年月日」については医用画像診断装置２Ｃ（III）の方が上位であり、情報項目「診療日時」については医用画像診断装置２Ｃ（III）の方が上位であり、情報項目「診療内容」については医用画像診断装置２Ｃ（III）の方が上位である。
【０１３８】
それにより、優先順位判定部１４は、入力された医用情報と、その情報源特定情報と、優先順位が上位と判定された所定情報「山田  太郎」、「Ｍ」、「１９８０／０４／０１」、「２００５／０８／０１」、「肝臓癌」と、各情報項目の優先順位判定結果を示す情報とを制御部１５に送る（Ｓ１０、Ｓ１３）。
【０１３９】
制御部１５は、優先順位判定部１４から送られた所定情報と判定結果の情報とに基づき、検索された医用情報（医用画像診断装置２Ｃ（III）による検査に関する情報）について、情報項目「患者性別」を「男性」から「Ｍ」に変更する（Ｓ１２）。
【０１４０】
また、制御部１５は、医用画像診断装置２Ｂ（II）から入力された医用情報について、情報項目「患者氏名」を「Ｙａｍａｄａ  Ｔａｒｏｕ」から「山田  太郎」に変更し、情報項目「患者生年月日」を「０１／０４／１９８０」から「１９８０／０４／０１」に変更し、情報項目「診療日時」を「０１／０８／２００５」から「２００５／０８／０１」に変更し、情報項目「診療内容」を「Ｌｉｖｅｒ  Ｃａｎｃｅｒ」から「肝臓癌」に変更する（Ｓ１４）。そして、この所定情報が変更された医用情報を、情報源特定情報とともに医用情報記憶部１２に記憶させる（Ｓ１５）。以上で、医用画像診断装置２Ｂ（II）からの医用情報の記憶処理は終了となる。
【０１４１】
（医用画像診断装置Ｉからの医用情報の記憶処理）
続いて、医用画像診断装置２Ａ（１）によって医用画像を撮影する（Ｓ１）。この医用画像撮影装置２Ｂは、ＭＷＭ機能を具備しているので、撮影された医用画像は、患者情報や診療情報とともにＰＡＣＳサーバ１０にネットワークＮを通じて送信される。ＰＡＣＳサーバ１０の情報受信部１１１は、医用画像診断装置２Ａから送信された医用画像や患者情報等を受信する（Ｓ２）。
【０１４２】
ここで、患者情報及び診療情報（所定情報）は、情報項目「患者氏名」については「ヤマダ  タロウ」であり、情報項目「患者性別」については「男」であり、情報項目「患者生年月日」については「１９８０／０４／０１」であり、情報項目「診療日時」については「２００５／０８／０１」であり、情報項目「診療内容」については「肝臓癌」であったとする（図４参照）。
【０１４３】
記憶状況判断部１３の医用情報検索部１３１は、医用画像に添付された患者ＩＤと同じ患者ＩＤを含む医用情報を医用情報記憶部１２から検索する（Ｓ３）。この検索処理により、医用画像診断装置２Ｂ（II）、２Ｃ（III）により撮影された医用画像と患者情報等の所定情報とを含む医用情報が検索される（Ｓ４；Ｙ）。
【０１４４】
この検索された２つの医用情報には、同一の所定情報が含まれている。すなわち、情報項目「患者氏名」については医用画像診断装置２Ｃ（III）からの「山田  太郎」であり、情報項目「患者性別」については医用画像診断装置２Ｂ（II）からの「Ｍ」であり、情報項目「患者生年月日」については医用画像診断装置２Ｃ（III）からの「１９８０／０４／０１」であり、情報項目「診療日時」については医用画像診断装置２Ｃ（III）からの「２００５／０８／０１」であり、情報項目「診療内容」については医用画像診断装置２Ｃ（III）からの「肝臓癌」である。
【０１４５】
記憶状況判断部１３は、検索された医用情報について、入力された医用情報に含まれる所定情報と同種の所定情報を含んでいるか判断する（Ｓ７）。この検索された医用情報には、同種の所定情報が含まれている（Ｓ７；Ｙ）。それに対応し、記憶状況判断部１３は、入力された医用情報と、その所定情報の情報項目を特定する情報項目特定情報と、その情報源特定情報と、検索された同種の所定情報とを、優先順位判定部１４に送る（Ｓ８）。
【０１４６】
優先順位判定部１４は、優先順位格納部１４１に格納された優先順位情報を参照し、各情報項目について、入力された所定情報の優先順位と、検索された同種の所定情報の優先順位とを比較し、どちらの優先順位が上位であるか判定する（Ｓ９）。
【０１４７】
この判定処理を具体的に説明すると、以下のようになる。まず、情報項目「患者氏名」について、図４の優先順位情報に示す医用画像診断装置２Ａ（Ｉ）の優先順位と医用画像診断装置２Ｃ（III）の優先順位とを比較すると、医用画像診断装置２Ａ（Ｉ）の方が上位と判定される。また、情報項目「患者性別」について、医用画像診断装置２Ａ（Ｉ）の優先順位と医用画像診断装置２Ｂ（II）の優先順位とを比較すると、医用画像診断装置２Ｂ（II）の方が上位と判定される。また、情報項目「患者生年月日」について、医用画像診断装置２Ａ（Ｉ）の優先順位と医用画像診断装置２Ｃ（III）の優先順位とを比較すると、医用画像診断装置２Ａ（Ｉ）の方が上位と判定される。また、情報項目「診療日時」について、医用画像診断装置２Ａ（Ｉ）の優先順位と医用画像診断装置２Ｃ（III）の優先順位とを比較すると、医用画像診断装置２Ａ（Ｉ）の方が上位と判定される。また、情報項目「診療内容」について、医用画像診断装置２Ａ（Ｉ）の優先順位と医用画像診断装置２Ｃ（III）の優先順位とを比較すると、医用画像診断装置２Ａ（Ｉ）の方が上位と判定される。
【０１４８】
以上の各情報項目の判定結果に基づいて、優先順位判定部１４は、入力された医用情報と、その情報源特定情報と、優先順位が上位と判定された所定情報「ヤマダ  タロウ」、「Ｍ」、「１９８０／０４／０１」、「２００５／０８／０１」、「肝臓癌」と、各情報項目の優先順位判定結果を示す情報とを制御部１５に送る（Ｓ１０、Ｓ１３）。
【０１４９】
制御部１５は、優先順位判定部１４から送られた所定情報と判定結果の情報とに基づき、検索された各医用情報（医用画像診断装置、２Ｂ（II）、２Ｃ（III）による検査に関する情報）について、情報項目「患者氏名」を「山田  太郎」から「ヤマダ  タロウ」に変更する（Ｓ１２）。
【０１５０】
なお、情報項目「患者生年月日」、「診療日時」、「診療内容」については、それぞれ、医用画像診断装置２Ａ（Ｉ）からの所定情報と、医用画像診断装置２Ｃ（III）からの所定情報とが同一である。これら各情報項目については、検索された各医用情報の所定情報を便宜的に変更するようにしてもよいし、敢えて変更しないような構成を採用することもできる。
【０１５１】
また、制御部１５は、医用画像診断装置２Ａ（Ｉ）から入力された医用情報について、情報項目「患者性別」を「男」から「Ｍ」に変更する（Ｓ１４）。そして、この所定情報が変更された医用情報を、情報源特定情報とともに医用情報記憶部１２に記憶させる（Ｓ１５）。以上で、医用画像診断装置２Ａ（Ｉ）からの医用情報の記憶処理は終了となり、本具体例の処理も終了となる。
【０１５２】
［作用・効果］
以上のような本実施形態に係る医用情報処理システム１が奏する作用及びその効果について説明する。
【０１５３】
図５のフローチャートに示すように、医用情報処理システム１のＰＡＣＳサーバ１０は、或る情報源から医用情報が入力されると、まず、その医用情報と同じ患者に関する過去の医用情報をデータベース（医用情報記憶部１２）から検索する。当該患者に関する医用情報がデータベースに記憶されていない場合には、入力された医用情報における患者情報や診療情報等の所定情報を、そのままデータベースに記憶する。
【０１５４】
過去の医用情報が検索された場合には、その検索された医用情報に、入力された患者情報や診療情報等の所定情報と同種の所定情報（すなわち同じ情報項目に関する所定情報）が含まれているか否かを判断する。含まれていない場合には、入力された所定情報をデータベースにそのまま記憶する。
【０１５５】
一方、同種の所定情報が既にデータベースに記憶されている場合には、優先順位情報を参照して、入力された所定情報の優先順位と、検索された所定情報の優先順位とを比較し、優先順位が下位の側の所定情報を上位の側の所定情報に書き換えてデータベースに登録する。
【０１５６】
それにより、データベースに記憶される医用情報の患者情報や診療情報は、統一された形式の情報として記憶され、管理されることとなる。
【０１５７】
特に、ある情報項目について、外国製の装置からの外国語表記による所定情報と、日本製の装置からの日本語表記による所定情報とが混在するような場合であっても、当該情報項目に関する全ての所定情報は、その表現形式が統一されてデータベースに記憶され、管理されることになる。
【０１５８】
したがって、複数の情報源から様々な形式の所定情報が入力されても、各情報項目の表現形式が統一されているので、医用情報の閲覧者は、余計な時間や労力を掛けることなく、患者情報や診療情報の内容を容易に把握できる。なお、医用情報の閲覧は、ＰＡＣＳクライアント５、ＨＩＳ／ＲＩＳ３、医師端末６等によって行うことができる。
【０１５９】
また、医用画像撮影等を依頼する医師が、所定情報の優先順位を適宜に設定することにより、依頼内容中における所定情報の記載形式と、データベースに記憶された各所定情報の記載形式とを合致させることができる。それにより、データベース内の医用情報を閲覧する際に、依頼時の記載形式に基づいて、容易に患者情報や診療情報を把握することができる。
【０１６０】
また、或る患者に関する撮影画像や検査のリストや、複数の患者のリストなどを閲覧するときに、そのリスト中における表現形式を統一することができるので、リストの内容を容易に把握することができる。
【０１６１】
更に、所定情報の表現形式を統一させるために、データベースに記憶された各所定情報を一つずつ事後的に修正する必要がなくなることから、そのために多大な時間や手間を浪費することもなくなる。
【０１６２】
このように、本実施形態の医用情報処理システム１によれば、同じ情報項目に係る所定情報の表現形式の統一を望む様々なユーザの要望に応えることが可能となる。
【０１６３】
［変形例］
以上で詳述した本実施形態は、本発明を好適に実施するための一例である。すなわち、本発明はこれに限定されるものではなく、その要旨の範囲内における各種の変形を施すことが可能である。そのような変形の一例を以下に説明する。なお、以下の各変形例は、第２の実施形態の構成に対しても適宜に準用することが可能である。
【０１６４】
各情報項目（或いは複数の情報項目のグループ）における各情報源からの所定情報の優先順位は、医用情報処理システム１を使用する病院の運用形態や、システムのユーザの使用形態に応じて適宜に設定、変更することが可能である。そのための設定操作や変更操作は、ＰＡＣＳサーバ１０、ＰＡＣＳクライアント５、ＨＩＳ／ＲＩＳ３、医師端末６等によって行うことが可能である。
【０１６５】
特に、所定情報の優先順位は、各ユーザごとに個別に設定することが可能である。その場合、各ユーザごとに設定可能な優先順位情報を優先順位格納部１４１にあらかじめ格納しておく。ユーザは、システム使用時にユーザＩＤ等のユーザ識別情報を入力する。優先順位判定部１４は、そのユーザ識別情報に対応する優先順位情報を選択的に参照して、優先順位判定処理を実行するようにする。
【０１６６】
上記実施形態の優先順位情報は、医用画像診断装置２Ａ〜２Ｃ及びＨＩＳ／ＲＩＳ３のそれぞれについて、各情報項目に対応する優先順位を設定するものであったが、それら以外の任意の情報源（医用情報送信装置）についても優先順位を設定することが可能である。
【０１６７】
また、ＨＩＳとＲＩＳとをそれぞれ個別のシステムとして構築してネットワークＮに接続した構成を採用することも可能である。
【０１６８】
ところで、ＨＩＳやＲＩＳ（特にＨＩＳ）は、病院内において取り扱われる各種情報を管理するための中心的機能を担うものである。それを考慮すると、ＨＩＳやＲＩＳにて管理されている情報の表現形式を、その他の装置（ＰＡＣＳサーバ１０等）が管理する情報に反映させることが好適な場合が多々ある。その場合、ＰＡＣＳサーバ１０に格納される優先順位情報として、各情報項目についてＨＩＳやＲＩＳ（図４ではＨＩＳ／ＲＩＳ３）の優先順位を最も上位に設定したものを用いることができる。
【０１６９】
上記実施形態では、本発明にいう「医用情報処理装置」としてＰＡＣＳサーバ１０を適用して構成された医用情報処理システムについて説明した。しかし、本発明の「医用情報処理装置」は、ＰＡＣＳサーバ１０以外にも、複数の医用装置（情報源）からそれぞれ情報が入力されるように配設された任意のコンピュータを含んで構成できる。たとえば、ＨＩＳ、ＲＩＳ、医師端末などのコンピュータに「医用情報処理装置」としての機能を持たせることができる。そのためには、そのコンピュータに、医用情報処理プログラム１０３ａ（図３参照）を搭載すればよい。
【０１７０】
また、本発明の「医用情報処理システム」も、上記実施形態のシステム構成に限定されるものではない。一般に、本発明の「医用情報処理システム」は、任意のコンピュータからなる医用情報処理装置と、それにネットワークを介して接続された複数の情報源（医用情報送信装置）とを含むものであれば、任意のシステム構成を採用することが可能である。
【０１７１】
〈第２の実施形態〉
本発明に係る医用情報処理システムの他の実施形態について説明する。上述した第１の実施形態は、所定情報の優先順位の判定等の処理を、医用情報の記憶時に実行するように構成されていた。一方、本実施形態は、それらの処理を、医用情報の出力時（たとえば表示時や印刷時）に実行するように構成されるものである。以下、第１の実施形態と同様の構成部分については同一の符号を付して説明する。
【０１７２】
［システム構成］
本実施形態に係る医用情報処理システムは、たとえば第１の実施形態と同様に、ネットワークＮを介して接続された、複数の医用画像診断装置２Ａ、２Ｂ、２Ｃと、ＨＩＳ／ＲＩＳ３と、ＰＡＣＳ４と、医師端末６とを含んで構成される（図１参照）。ＰＡＣＳ４は、ＰＡＣＳサーバ１０とＰＡＣＳクライアント５とを具備する。ＰＡＣＳサーバ１０は、本発明の「医用情報処理装置」の一例に相当する。各装置の機能は第１の実施形態と略同様である。
【０１７３】
図６に示すブロック図は、本実施形態に係る医用情報処理システムにおけるＰＡＣＳサーバ１０の機能的構成を表している。なお、このＰＡＣＳサーバ１０のハードウェア構成は、第１の実施形態と同様である（図３参照）。
【０１７４】
本実施形態のＰＡＣＳサーバ１０には、情報入力部１１、医用情報記憶部１２、医用情報検索部１３１、優先順位判定部１４、制御部１５及び情報出力部１６が設けられている。優先順位判定部１４には、図４に示したような優先順位情報をあらかじめ格納する優先順位格納部１４１が設けられている。
【０１７５】
なお、ＰＡＣＳサーバ１０の情報出力部１６やディスプレイ１０６、若しくは、図示しないプリンタやドライブ装置などは、本発明の「出力手段」の一例に相当するものである。
【０１７６】
情報入力部１１は、第１の実施形態と同様に、情報受信部１１１、操作部１１２及び表示部１１３が設けられている。この情報入力部１１により入力された医用情報（医用画像、患者情報、診療情報、患者ＩＤ、情報源特定情報等）は、医用情報記憶部１２に記憶される。この医用情報の記憶処理は、医用画像診断装置２Ａ〜２Ｃ等から医用情報が送信される度毎に、また、操作部１１２により情報入力がなされる度毎に行われる。それにより、医用情報記憶部１２には、システムの各装置から入力されるデータが蓄積される。蓄積される医用情報は、患者ＩＤ等によって関連付けられ、各患者ごとに（検索可能に）格納されている。
【０１７７】
また、情報入力部１１は、操作部１１２、ＰＡＣＳクライアント５、ＨＩＳ／ＲＩＳ３、医師端末６等から入力される医用情報の出力要求を受け、制御部１５に送る処理を行う。この医用情報出力要求は、たとえば、出力対象となる医用情報に係る患者ＩＤ等を含む信号である。制御部１５は、この信号を受けると、医用情報検索部１３１に対して制御信号（患者ＩＤ等を含む。）を送って、次のような処理を実行させる。
【０１７８】
医用情報検索部１３１は、制御部１５からの制御信号を受けると、この制御信号に含まれる患者ＩＤと同一の患者ＩＤを含む医用情報を医用情報記憶部１２から検索する。検索された全ての医用情報は、優先順位判定部１４に送られる。
【０１７９】
優先順位判定部１４は、優先順位格納部１４１に格納された優先順位情報を参照し、あらかじめ設定された各情報項目について、検索された医用情報のそれぞれに含まれる所定情報の優先順位を比較し、どの医用情報の所定情報が最も上位であるか判定する。この優先順位判定処理は、たとえば、各情報項目について、検索された医用情報のそれぞれの情報源特定情報を参照することにより各医用情報の所定情報の優先順位を取得し、その取得した優先順位を比較することによって行う。
【０１８０】
優先順位判定部１４は、検索された医用情報と、各情報項目における優先順位が最も上位の所定情報とを制御部１５に送る。
【０１８１】
制御部１５は、優先順位判定部１４からの情報に基づき、検索された各医用情報について、各情報項目の所定情報を優先順位が最上位のものに書き換える。そして、その医用情報を、出力要求の要求元（ＰＡＣＳサーバ１０自身、ＰＡＣＳクライアント５、ＨＩＳ／ＲＩＳ３、医師端末６等）に送る。
【０１８２】
ここで、要求元がＰＡＣＳサーバ１０自身である場合（操作部１１２から出力要求が入力された場合等）、制御部１５は、所定情報を書き換えた医用情報を、その要求内容に応じて、表示部１１３に表示させたり、プリンタ（図示せず）により紙媒体に印刷出力させたり、ドライブ装置（図示せず）により情報記憶媒体に記憶させたりする。
【０１８３】
また、要求元がＰＡＣＳサーバ１０以外である場合、制御部１５は、所定情報を書き換えた医用情報を、情報出力部１６を制御してネットワークＮ経由で送信する。この医用情報を受信した要求元は、ユーザの操作等に応じて、医用情報をディスプレイ（図示せず）に表示させたり、プリンタ（図示せず）により紙媒体に印刷出力させたり、ドライブ装置（図示せず）により情報記憶媒体に記憶させたりする。
【０１８４】
［動作］
以上のような構成を備える本実施形態に係る医用情報処理システムの動作を説明する。図７に示すフローチャートは、本実施形態のシステムの動作の一例を表している。
【０１８５】
まず、ＰＡＣＳサーバ１０、ＰＡＣＳクライアント５、ＨＩＳ／ＲＩＳ３、医師端末６等のユーザが、出力を望む医用情報を特定し、その医用情報の出力要求を入力する（Ｓ２１）。この出力要求の信号には、患者ＩＤ等の医用情報特定情報が含まれている。この医用情報出力要求の信号は、ネットワークＮを介するなどしてＰＡＣＳサーバ１０の情報入力部１１に送られる。情報入力部１１は、この出力要求を制御部１５に送る。
【０１８６】
医用情報検索部１３１は、制御部１５の制御に基づき、出力要求の信号に含まれる患者ＩＤと同一の患者ＩＤを含む医用情報を医用情報記憶部１２から検索する（Ｓ２２）。
【０１８７】
そのような医用情報が検索されなかった場合（Ｓ２３；Ｎ）、その旨を示す信号が医用情報検索部１３１から制御部１５に送られる。制御部１５は、その信号に基づいて、要求された医用画像が検索されなかった旨を示す信号を、要求元に送る（Ｓ２４）。この信号を受けた要求元は、医用画像が検索されなかった旨のメッセージを、ディスプレイ等に表示させる（Ｓ２５）。以上で、本システムの処理は終了となる。
【０１８８】
一方、要求に応じた医用画像が検索された場合（Ｓ２３；Ｙ）、優先順位判定部１４は、優先順位情報を参照し、各情報項目について、検索された各医用情報に含まれる所定情報の優先順位を比較し、いずれの所定情報が最も上位であるか判定する（Ｓ２６）。優先順位判定部１４は、検索された医用情報と、各情報項目における優先順位が最も上位の所定情報とを制御部１５に送る（Ｓ２７）。
【０１８９】
制御部１５は、検索された各医用情報について、各情報項目の所定情報を優先順位が最上位のものに書き換える（Ｓ２８）。そして、それらの医用情報を出力要求の要求元に送る（Ｓ２９）。要求元は、所定情報が書き換えられた医用情報を出力（表示出力、印刷出力等）する（Ｓ３０）。以上で、本システムの処理は終了となる。
【０１９０】
〔動作の具体例〕
以上のような医用情報処理システムの動作の具体例を説明する。医用情報の出力要求の要求元は、医師端末６であるとする。また、ＰＡＣＳサーバ１０の格納順位格納部１４１には、第１の実施形態と同様に図４の格納順位情報が格納されているものとする。更に、医用情報記憶部１２には、各医用画像診断装置２Ａ〜２Ｃにより或る患者に対して実施された検査に基づく、それぞれの医用情報が既に記憶されているものとする。
【０１９１】
ここで、医用画像診断装置２Ａに係わる医用情報には、患者ＩＤ、撮影画像及び情報源特定情報とともに、患者情報及び診療情報（所定情報）として、患者氏名「ヤマダ  タロウ」、患者性別「男」、患者生年月日「１９８０／０４／０１」、診療日時「２００５／０８／０１」、診療内容「肝臓癌」が含まれているものとする。また、医用画像診断装置２Ｂに係わる医用情報には、患者ＩＤ、撮影画像及び情報源特定情報とともに、患者氏名「Ｙａｍａｄａ  Ｔａｒｏｕ」、患者性別「Ｍ」、患者生年月日「０１／０４／１９８０」、診療日時「０１／０８／２００５」、診療内容「Ｌｉｖｅｒ  Ｃａｎｃｅｒ」が含まれているものとする。また、医用画像診断装置２Ｃに係わる医用情報には、患者ＩＤ、撮影画像及び情報源特定情報とともに、患者情報及び診療情報（所定情報）として、患者氏名「山田  太郎」、患者性別「男性」、患者生年月日「１９８０／０４／０１」、診療日時「２００５／０８／０１」、診療内容「肝臓癌」が含まれているものとする。
【０１９２】
以下、医用画像診断装置２Ａ、２Ｂ、２Ｃに係わる医用情報を、それぞれ、医用情報Ｉ、医用情報II、医用情報IIIと称する。
【０１９３】
まず、医師端末６のユーザが、出力を望む医用情報（上記患者に関する医用情報とする。）を特定し、その医用情報の出力要求を入力する（Ｓ２１）。医師端末６は、この医用情報出力要求の信号を、ネットワークＮ経由でＰＡＣＳサーバ１０に送信する。ＰＡＣＳサーバ１０の情報受信部１１１は、この出力要求信号を受信する。情報入力部１１は、この出力要求信号を制御部１５に送る。
【０１９４】
医用情報検索部１３１は、出力要求信号に含まれる患者ＩＤと同一の患者ＩＤを含む医用情報を医用情報記憶部１２から検索する（Ｓ２２）。ここでは、医用情報Ｉ、医用情報II、医用情報IIIが検索される（Ｓ２３；Ｙ）。
【０１９５】
優先順位判定部１４は、優先順位情報を参照し、各情報項目について、検索された各医用情報に含まれる所定情報の優先順位を比較し、いずれの所定情報が最も上位であるか判定する（Ｓ２６）。
【０１９６】
具体的に説明すると、次のように判定される。まず、情報項目「患者氏名」については医用情報Ｉが最も上位であり、情報項目「患者性別」については医用情報IIが最も上位であり、情報項目「患者生年月日」については医用情報Ｉが最も上位であり、情報項目「診療日時」については医用情報Ｉが最も上位であり、情報項目「診療内容」については医用情報Ｉが最も上位である。
【０１９７】
この判定結果に基づき、優先順位判定部１４は、検索された医用情報Ｉ、II、IIIと、優先順位が最も上位と判定された各情報項目の所定情報「ヤマダ  タロウ」、「Ｍ」、「１９８０／０４／０１」、「２００５／０８／０１」、「肝臓癌」とを制御部１５に送る（Ｓ２７）。
【０１９８】
制御部１５は、検索された各医用情報Ｉ〜IIIについて、各情報項目の所定情報を優先順位が最上位のものにそれぞれ書き換える（Ｓ２８）。それにより、各医用情報Ｉ〜IIIの所定情報の全てが、最上位の「ヤマダ  タロウ」、「Ｍ」、「１９８０／０４／０１」、「２００５／０８／０１」、「肝臓癌」に統一される。
【０１９９】
制御部１５は、所定情報が統一された医用情報Ｉ〜IIIを出力要求元の医師端末６に送信する（Ｓ２９）。医師端末６のユーザは、所定情報が書き換えられた医用情報を出力させる（Ｓ３０）。
【０２００】
［作用・効果］
以上のような本実施形態に係る医用情報処理システムが奏する作用及びその効果について説明する。
【０２０１】
図７のフローチャートに示すように、医用情報処理システムのＰＡＣＳサーバ１０は、医用情報の出力要求信号を受けると、その信号により特定される患者に関する過去の医用情報をデータベース（医用情報記憶部１２）から検索し、その検索された医用情報に含まれる所定情報のうち、いずれの所定情報が最上位の優先順位を有するか判定する。そして、検索された各医用情報の所定情報を最上位の所定情報に書き換えて、それら全ての医用情報の所定情報を統一させた後に出力要求元に送るように作用する。
【０２０２】
それにより、医用情報の出力を要求したユーザは、第１の実施形態と同様に、表現形式が統一された患者情報や診療情報を含む医用情報を閲覧することができる。
【０２０３】
本実施形態の医用情報処理システムは、第１の実施形態とは異なり、その情報源から入力された表現形式そのままの医用画像を、データベース（医用情報記憶部１２）に記憶している。したがって、データベースに既に記憶されている医用情報について、所定情報の優先順位を変更できるという利点がある。また、当該データベースの閲覧者が追加された場合などに、その閲覧者が所望する優先順位を新たに設定して追加できるという利点もある。
【０２０４】
［変形例］
上述の第２の実施形態のＰＡＣＳサーバ１０は、医用情報の出力要求に対応して、医用情報の検索処理（ステップＳ２２）や優先順位判定処理（Ｓ２６）等を実行するように構成されているが、これに限定されるものではない。これらの処理の実行タイミングは、医用画像診断装置２Ａ〜２Ｃ等から医用情報が入力されてから、医用情報を出力するまでの間であれば任意である。
【０２０５】
なお、医用情報出力要求の以前にあらかじめ処理を行っておく場合、それらの処理の結果を各医用情報に添付して記憶しておくことが望ましい。たとえば、各医用情報に優先順位判定処理の結果（最上位の所定情報）を添付してデータベースに記憶しておき、医用情報の出力の直前に、その添付情報に基づいて各医用情報の所定情報を変更するように構成することができる。
【０２０６】
このような構成を採用すると、システムが使用されていない夜間などに、検索処理や優先順位判定処理等を実行し、その結果を医用情報に添付しておくことができる。それにより、医用情報の出力要求に対して迅速に対応することが可能となる。
【０２０７】
［医用情報処理プログラムについて］
以上に説明した第１、２の実施形態による処理は、本発明にいう「コンピュータ」の一例であるＰＡＣＳサーバ１０のＣＰＵ１００等のマイクロプロセッサが、ハードディスクドライブ１０３に記憶された医用情報処理プログラム１０３ａ（図３参照）に基づいて実行するものである。この医用情報処理プログラム１０３ａは、本発明の「医用情報処理プログラム」の一例に相当するものである。
【０２０８】
このような医用情報参照プログラム１０３ａを、任意の記憶媒体（メディア）に、コンピュータ読み取り可能に記憶させることができる。その記憶媒体としては、フロッピー（登録商標）ディスク、ＣＤ−ＲＯＭ、ＣＤ−Ｒ（Ｗ）、ＤＶＤ−ＲＯＭ、ＤＶＤ−Ｒ（Ｗ）、ＤＶＤ−ＲＡＭ、ＭＯ、各種メモリカードなど、電気的方法、磁気的方法、光学的方法等の任意の物理的方法によってデータを記憶可能に構成されたものを適用することが可能である。
【図面の簡単な説明】
【０２０９】
【図１】本発明に係る医用情報処理システムの第１の実施形態のシステム構成の一例を表す概略ブロック図である。
【図２】本発明に係る医用情報処理システムの第１の実施形態におけるＰＡＣＳサーバの機能的構成の一例を表す概略ブロック図である。
【図３】本発明に係る医用情報処理システムの第１の実施形態におけるＰＡＣＳサーバのハードウェア構成の一例を表す概略ブロック図である。
【図４】本発明に係る医用情報処理システムの第１の実施形態におけるＰＡＣＳサーバが格納する優先順位情報の一例の概要を表す図である。
【図５】本発明に係る医用情報処理システムの第１の実施形態の動作の一例を表すフローチャートである。
【図６】本発明に係る医用情報処理システムの第２の実施形態におけるＰＡＣＳサーバの機能的構成の一例を表す概略ブロック図である。
【図７】本発明に係る医用情報処理システムの第２の実施形態の動作の一例を表すフローチャートである。
【符号の説明】
【０２１０】
１  医用情報処理システム
２Ａ〜２Ｃ  医用画像診断装置
３  ＨＩＳ／ＲＩＳ
４  ＰＡＣＳ
５  ＰＡＣＳクライアント
６  医師端末
１０  ＰＡＣＳサーバ
１１  情報入力部
１１１  情報受信部
１１２  操作部
１１３  表示部
１２  医用情報記憶部
１３  記憶状況判断部
１３１  医用情報検索部
１４  優先順位判定部
１４１  優先順位格納部
１５  制御部
１６  情報出力部
１００  ＣＰＵ
１０１  ＲＡＭ
１０２  ＲＯＭ
１０３  ハードディスクドライブ
１０３ａ医用情報処理プログラム
１０４  キーボード
１０５  マウス
１０６  ディスプレイ
１０７  通信インターフェイス
１０８  バス
Ｎ  ネットワーク
【図１】
2007058628.tif 000003
【図２】
2007058628.tif 000004
【図３】
2007058628.tif 000005
【図４】
2007058628.tif 000006
【図５】
2007058628.tif 000007
【図６】
2007058628.tif 000008
【図７】
2007058628.tif 000009